(57)【要約】【課題】肌に電気的刺激を与えて良好なマッサージ効果を得ることができるとともに、水没による不具合の発生を抑制でき、使い勝手の良いマッサージ器を提供する。【解決手段】マッサージ器１は、本体と、少なくとも２つの電極１７０〜２００と、給電部３と、水没検出部６と、制御部３５とを備える。少なくとも２つの電極１７０〜２００は、本体の外側に露出するように設けられている。給電部３５は、少なくとも２つの電極１７０〜２００間に電位差を付与する。水没検出部６は、本体が水没したことを検出して水没検出信号を出力する。制御部３５は、水没検出信号が入力されると給電部３が付与する電位差を制御する。【選択図】図９
2015211825.tif 000002
【特許請求の範囲】
【請求項１】
本体と、
該本体の外側に露出するように設けられた少なくとも２つの電極と、
上記少なくとも２つの電極間に電位差を付与する給電部と、
上記本体及び／又は上記電極が水没したことを検出して水没検出信号を出力する水没検出部と、
上記水没検出信号が入力されると上記給電部が付与する上記電位差を制御する制御部と、
を備えることを特徴とするマッサージ器。
【請求項２】
上記制御部は、上記給電部への電力供給を制御する給電制御部を備え、上記水没検出信号が入力されると上記給電制御部が上記給電部への電力供給を停止するように制御することを特徴とする請求項１に記載のマッサージ器。
【請求項３】
上記電極間の電気抵抗を検出する電気抵抗検出部を更に備え、上記制御部は、上記電位差を調整する電位差調整部を備え、上記水没検出信号が入力されると、上記電気抵抗検出部が検出した上記電気抵抗が第１の所定値以下である場合に上記電位差調整部が上記電位差を第２の所定値以下に調整するように制御することを特徴とする請求項１に記載のマッサージ器。
【請求項４】
上記給電部と上記電極との間には、上記給電部と上記電極とを接続する第１通電経路と、上記給電部と上記電極とをバイパスするバイパス回路とを接続する第２通電経路と、を切り替える切替部が備えられるとともに、上記制御部は、上記水没検出信号が入力されると上記切替部が上記第１通電経路から上記第２通電経路に切り替えて上記電極をバイパスするように上記切替部を制御することを特徴とする請求項１に記載のマッサージ器。
【請求項５】
上記本体は把持可能であるとともに、上記水没検出部は上記本体の上記電極が露出する側の面に設けられていることを特徴とする請求項１〜４のいずれか一項に記載のマッサージ器。
【請求項６】
上記水没検出部は上記本体と上記電極との接続部の近傍に設けられていることを特徴とする請求項５に記載のマッサージ器。
【請求項７】
上記電極は、上記本体から放射状に延びる軸線を中心に回転可能に支持された導電体からなる少なくとも２つの回転体により構成されていることを特徴とする請求項１〜６のいずれか一項に記載のマッサージ器。
【請求項８】
上記給電部へ供給される電力を備える電源部と、上記制御部の制御態様を変更可能に構成された操作部と、を備え、上記電源部は上記本体に収納されているとともに、上記電極を人体に当接させて電気刺激を付与するように構成されていることを特徴とする請求項１〜６のいずれか一項に記載のマッサージ器。
【請求項９】
上記電極は可撓性を有することを特徴とする請求項８に記載のマッサージ器。
【請求項１０】
上記電極は、上記本体から延設されたシート状の基材に複数形成されるとともに、該基材には、上記電極と上記電源とを上記制御部及び上記給電部を介して電気的に接続するリード部が形成されていることを特徴とする請求項８又は９に記載のマッサージ器。
【発明の詳細な説明】
【技術分野】
【０００１】
この発明は、電気的刺激によりマッサージ効果を得るようにしたマッサージ器に関するものである。
【背景技術】
【０００２】
従来、この種のマッサージ器としては、例えば特許文献１及び特許文献２に開示されるような構成が提案されている。
特許文献１に記載の従来構成においては、顔面等の肌に付着可能なパッドに一対の電極が設けられている。両電極には、導線を介して刺激発生装置が接続されている。そして、パッドが顔面等の肌に付着された状態で、刺激発生装置から両電極にパルス信号が付与されることにより、肌に電気的刺激が与えられて、血液循環が促進されるようになっている。
【０００３】
また、特許文献２に記載の従来構成においては、ケースに２本のローラが間隔をおいて平行に延びる軸線を中心に回転可能に支持されている。各ローラの両端には、一対の電極ローラ部が中間の絶縁ローラ部を介して設けられている。両ローラ間において対向する電極ローラ部には、一対の無端導電シートが巻回されている。そして、両無端導電シートが肌に接触された状態で周回移動されながら、両無端導電シートに電極ローラ部を介して正及び負の異なった電位が付与される。これにより、両無端導電シート間において肌に電流が流れて、肌に電気的刺激が与えられるようになっている。
【先行技術文献】
【特許文献】
【０００４】
【特許文献１】特開２００５−２４５５８５号公報
【特許文献２】特開平１１−１６４８９５号公報
【発明の概要】
【発明が解決しようとする課題】
【０００５】
しかしながら、特許文献１及び特許文献２に記載の構成では、マッサージ器が水没するなどした場合には、電位差が付与された一対の電極間の電気抵抗が過度に低下して一対の電極間に過剰に電流が流れるおそれがある。この場合には、使用者が当該マッサージ器や通電している水に触れると感電を引き起こしたり、マッサージ器内の電子部品等に過剰な負荷がかかって故障を招来したり、大量の電力を無駄に消費したりするなどの不具合が生じる。したがって、マッサージ器が水没するおそれがある浴室などで使用する際には上述の不具合を回避するために注意を要することから使い勝手が悪い。
【０００６】
また、一対の電極間に過剰に電流が流れることを抑制するために、当該一対の電極間の電気抵抗が所定値以下となったときに水没状態であると判断して当該一対の電極への給電を停止するなどすることが考えられる。しかし、かかるマッサージ器では、電極から肌へ電流が流れることを促進するために、導電性のジェルなどを肌に塗布して、電極と肌との間に当該ジェルを介在させた状態で使用することがある。そして、当該ジェルを使用した場合には、当該ジェルを介して一対の電極間に電流が流れて、当該一対の電極間の電気抵抗が一時的に所定値以下となることが考えられる。そして、上述のごとく、当該一対の電極間の電気抵抗が所定値以下となったときに水没状態であると判断して当該一対の電極への給電を停止することとすれば、当該ジェルの使用時に水没状態であると誤った判断がなされて予期せず当該給電が停止されるおそれがある。そのため、導電性のジェルを使用する場合には使い勝手が悪い。
【０００７】
本発明は、かかる背景に鑑みてなされたもので、肌に電気的刺激を与えて良好なマッサージ効果を得ることができるとともに、水没による不具合の発生を抑制でき、使い勝手の良いマッサージ器を提供することにある。
【課題を解決するための手段】
【０００８】
本発明の一の態様は、本体と、
該本体の外側に露出するように設けられた少なくとも２つの電極と、
上記少なくとも２つの電極間に電位差を付与する給電部と、
上記本体及び／又は上記電極が水没したことを検出して水没検出信号を出力する水没検出部と、
上記水没検出信号が入力されると上記給電部が付与する上記電位差を制御する制御部と、
を備えることを特徴とするマッサージ器にある。
【発明の効果】
【０００９】
上記マッサージ器によれば、少なくとも２つの電極間には電位差が付与されているため、当該電極を肌に接触させて、肌に電気的刺激を与えることにより、マッサージ効果を奏する。そして、上記マッサージ器の本体及び／又は電極が水没した場合には、水没検出部によって当該水没が検出されて水没検出信号が出力される。そして、制御部に水没検出信号が入力されることにより、制御部が、上記給電部によって上記電極間に付与されていた電位差を制御する。これにより、水没により電極間の電気抵抗が過度に低下しても、当該電極間に過剰に電流が流れることを抑制できる。その結果、使用者が感電することや、マッサージ器内の電子部品等に過剰な負荷がかかることや、大量の電力を無駄に消費することなどの不具合を未然に防止することができる。そのため、浴室などの水没のおそれがある場所で使用する際にも特段の注意を払う必要がなく、使い勝手が良い。
【００１０】
また、電極とは別に水没検出部が設けられているため、導電性のジェルなどを肌に塗布して使用した場合であっても、当該ジェルによる水没状態の誤検出が抑制されて、当該ジェルを使用する場合においても使い勝手が良い。
【００１１】
以上のごとく、本発明によれば、肌に電気的刺激を与えて良好なマッサージ効果を得ることができるとともに、水没による不具合の発生を抑制でき、使い勝手の良いマッサージ器を提供することができる。
【図面の簡単な説明】
【００１２】
【図１】実施例１におけるマッサージ器の斜視図。
【図２】図１のマッサージ器を下面側から見た図。
【図３】実施例１におけるマッサージ器の分解斜視図。
【図４】実施例１における、本体上側部および上面カバーを取り外した状態での図２におけるIV−IV線位置断面図。
【図５】実施例１における回転体の分解斜視図。
【図６】実施例１における回転体の断面。
【図７】実施例１におけるマッサージ器の側面図。
【図８】図７におけるVIII-VIII線位置断面図。
【図９】実施例１における回路構成を示すブロック図。
【図１０】実施例１におけるマッサージ器の制御態様を表すフロー図。
【図１１】実施例１における回転体の回転態様を表す側面図。
【図１２】実施例１の変形例における回転体の一部拡大図。
【図１３】実施例２における回路構成を示すブロック図。
【図１４】実施例２におけるマッサージ器の制御態様を表すフロー図。
【図１５】実施例３における回路構成を示すブロック図。
【図１６】実施例３におけるマッサージ器の制御態様を表すフロー図。
【図１７】実施例４におけるマッサージ器の斜視図。
【図１８】実施例４におけるマッサージ器の下面図。
【図１９】実施例５におけるマッサージ器の正面図。
【図２０】実施例５におけるマッサージ器の裏面図。
【図２１】実施例５におけるマッサージ器の上面図。
【図２２】図２１におけるXXII-XXII線位置での断面一部拡大図。
【図２３】実施例５における、マッサージ器の使用態様を説明する模式図。
【図２４】実施例５の変形例におけるマッサージ器の正面図。
【図２５】実施例５の変形例におけるマッサージ器の裏面図。
【図２６】実施例５の変形例におけるマッサージ器の上面図。
【発明を実施するための形態】
【００１３】
上記制御部は、上記給電部への電力供給を制御する給電制御部を備え、上記水没検出信号が入力されると上記給電制御部が上記給電部への電力供給を停止するように制御することとすることができる。この場合には、本体又は電極が水没した場合に給電部への電力供給が停止されるため、電極間に過剰な電流が流れることを確実に防止できる。
【００１４】
上記電極間の電気抵抗を検出する電気抵抗検出部を更に備え、上記制御部は、上記電位差を調整する電位差調整部を備え、上記水没検出信号が入力されると、上記電気抵抗検出部が検出した上記電気抵抗が第１の所定値以下である場合に上記電位差調整部が上記電位差を第２の所定値以下に調整するように制御することとすることができる。この場合には、本体又は電極が水没した場合に、電極間の電位差が所定値以上になることが防止される。その結果、電極間に過剰な電流が流れることを効果的に防止できる。なお、電気抵抗の上記第１の所定値は、適宜決定することができる。同様に、電位差の上記第２の所定値は、適宜決定することができる。例えば、電位差の上記第２の所定値を０Ｖとすることにより、上記水没検出信号が入力されると電極間に電流が流れないようにすることができる。
【００１５】
上記給電部と上記電極との間には、上記給電部と上記電極とを接続する第１通電経路と、上記給電部と上記電極とをバイパスするバイパス回路とを接続する第２通電経路と、を切り替える切替部が備えられるとともに、上記制御部は、上記水没検出信号が入力されると上記切替部が上記第１通電経路から上記第２通電経路に切り替えて上記電極をバイパスするように上記切替部を制御することとすることができる。これにより、本体又は電極が水没した場合に、給電部とバイパス回路とを接続することにより、電極をバイパスすることができる。その結果、電極間に過剰な電流が流れることを確実に防止できる。バイパス回路としては、例えば、マッサージ器の動作状態を表示するＬＥＤランプの点灯を制御する表示部用回路などを挙げることができる。バイパス回路として当該表示部用回路を採用する場合には、バイパス回路を介して表示部用回路に給電されると、ＬＥＤランプの点灯状態を水没状態であることを表示するための点灯状態（例えば、ＬＥＤランプを高速に点滅させるなど）に制御することにより、使用者に水没を検出していることを通知するようにしてもよい。
【００１６】
上記本体は把持可能であるとともに、上記水没検出部は上記本体の上記電極が露出する側の面に設けられていることとすることができる。この場合には、本体を把持したときに手が水没検出部に触れることを抑制できる。これにより、水没状態の誤検出を抑制できるとともに、本体を把持した状態で当該マッサージ器が水没した場合においても水没状態を確実に検出できる。
【００１７】
上記水没検出部は、上記本体と上記電極との接続部の近傍に設けられていることとすることができる。この場合には、例えば、本体を図１７や図１８に示すような形状にした場合であっても、本体を把持した時に手が水没検出部に触れることを抑制できる。これにより、水没状態の誤検出を抑制できるとともに、本体を把持した状態で当該マッサージ器が水没した場合においても水没状態を確実に検出できる。
【００１８】
上記電極は、上記本体から放射状に延びる軸線を中心に回転可能に支持された導電体からなる少なくとも２つの回転体により構成されていることとすることができる。この場合には、電極を成す回転体により、肌の摘み上げ効果や、揉みほぐし効果を奏することができ、マッサージ効果を一層向上できる。
【００１９】
上記回転体は、球状、楕円球状、又はこれらを組み合わせた形状であることとすることができる。この場合には、回転体を肌に当接させた状態で、回転体をスムーズに回転させることができるため、操作性が良く、使用感に優れる。また、肌の摘み上げ効果や、揉みほぐし効果を一層効果的に奏することができ、マッサージ効果を一層向上できる。なお、本明細書において、球状及び楕円球状とは、厳密な球状及び楕円球状に限らず、概略して球状及び楕円球状の認められる形状や、その表面に若干の凹凸を有する形状などの略球状を含むものとする。
【００２０】
上記回転体の表面には、上記軸線に対して傾斜した傾斜軸線に垂直な複数の仮想面における各断面の輪郭に相当する断面輪郭線が形成されていることとすることができる。この場合には、回転体を回転させると、断面輪郭線の形状が当該回転に応じて周期的に変化して観察されるため、回転体が回転していることを容易に視認できる。
【００２１】
上記回転体の表面には環状に形成された複数の帯状面が上記傾斜軸線の軸線方向に配列しているとともに、上記断面輪郭線は互いに隣接する上記帯状面における境界線として視認可能に形成されていることとすることができる。この場合には、複数の帯状面が境界線としての断面輪郭線が回転体の回転角度に応じて周期的に変化して観察されるため、回転体が回転していることを容易に視認できる。さらに、複数の帯状面が傾斜軸線の軸線方向に配列していることから、回転体の回転に応じて帯状面の向きが周期的に変化するため、一対の回転体の間における肌の摘み上げ効果や揉みほぐし効果に強弱が付与されることとなる。その結果、マッサージ効果を一層向上できるとともに、使用者に肌の摘み上げ効果や揉みほぐし効果を効果的に認識させることができ、優れた使用感を得ることができる。
【００２２】
上記環状に形成された帯状面は、傾斜軸線の軸線方向に隣接する他の帯状面との境界線が視認しやすいように、当該帯状面に隣接する他の帯状面と異なる形状であることが好ましい。例えば、傾斜軸線を含む断面における当該帯状面及びこれに隣接する他の帯状面の形状を直線状とするとともに、傾斜軸線に対する両者の傾斜角度を異ならせるようにすることができる。また、傾斜軸線を含む断面における当該帯状面の形状を直線状にするとともに、これに隣接する他の帯状面の形状を回転体の外側に膨れた湾曲形状又は回転体の内側に窪んだ湾曲形状とすることができる。また、傾斜軸線を含む断面における当該帯状面及びこれに隣接する他の帯状面の形状を回転体の内側に窪んだ湾曲形状とすることができる。これらの場合には、当該帯状面とこれに隣接する他の帯状面の境界線（断面輪郭線）を明確に線状に形成することができる。
【００２３】
上記給電部へ供給される電力を備える電源部と、上記制御部の制御態様を変更可能に構成された操作部と、を備え、上記電源部は上記本体に収納されているとともに、上記電極を人体に当接させて電気刺激を付与するように構成されていることが好ましい。この場合には、電源が本体に収納されているため、外部から電力を供給する必要がないことから、ワイヤレスにすることができる。そのため、使い勝手が良いとともに、外部電源がない場所でも使用することができる。
【００２４】
上記電極は可撓性を有することが好ましい。この場合は、肌の形状に沿わせて、電極を変形させやすくなることから、電極と肌との接触面積を広く確保することが容易となる。そのため、当該電極を肌に取り付けるだけで広い範囲に電気刺激を与えることができ、マッサージ効果をより広い範囲に及ぼすことができる。なお、この場合には、電極は、例えば、本体から延設されることにより本体と一体化されて、本体とともに肌に付着可能なシート状に形成することができる。また、電極は、コードを介して本体に接続されるとともに肌に付着可能なパッド状に形成することができる。
【００２５】
上記電極は、上記本体から延設されたシート状の基材に複数形成されるとともに、該基材には、上記電極と上記電源とを上記制御部及び上記給電部を介して電気的に接続するリード部が形成されていることとすることができる。この場合には、電極が本体と一体的に形成されるとともにシート状となっているため、電極を本体とともに肌に付着させやすくなる。これにより、使い勝手のよいマッサージ器となる。
【実施例】
【００２６】
（実施例１）
本例の実施例に係るマッサージ器につき、図１〜図１２を用いて説明する。
本例のマッサージ器１は、図１、図２に示すように、本体１２と、少なくとも２つの電極（本例では、４つの電極１７０、１８０、１９０、２００）を備え、図９に示すように、給電部３としての給電装置３３と、水没検出部６としての水没センサ６０と、制御部３５とを備える。
【００２７】
以下、マッサージ器１について詳述する。
図１に示すように、本体１２の両側部には、円弧凹状の把持部１２２が形成されている。そして、図３に示すように、本体１２は、本体上側部１２３及び本体下側部１２４を備える。本体上側部１２３と本体下側部１２４とは、本体上側部１２３に形成されたネジ孔１２５ａと本体下側部１２４に形成されたボス１２４ｂを介して複数のネジ１２５によって上下方向Ｚに互いに固定されている。本体上側部１２３及び本体下側部１２４はいずれもＡＢＳ樹脂製である。本体上側部１２３と本体下側部１２４とによって囲まれている本体１２の内部には、後述の電池３１に接続された電源回路基板３２１と、後述の給電装置３３を構成する給電回路基板３３１と、給電回路基板３３１を固定する基板固定台３３２と、本体１２の水没を検出する水没検出部６としての水没センサ６０とが収納されている。
【００２８】
図３に示すように、給電回路基板３３１には、スイッチ３３５、３３６及び複数のＬＥＤランプ３３７が実装されている。また、給電回路基板３３１には、電源回路基板３２１に接続される電源ハーネス３３８と、後述の支持軸１３〜１６に接続される出力ハーネス３３９が備えられている。給電回路基板３３１は、ネジ３３３によって基板固定台３３２に固定されている。基板固定台３３２は、給電回路基板３３１に実装されたスイッチ３３５、３３６及びＬＥＤランプ３３７が本体上側部１２３の内側面に対向にするように、本体上側部１２３にネジ３３４によって固定されている。
【００２９】
図３に示す給電回路基板３３１には、電極１７０〜２００に給電して電極１７０〜２００間に電位差を付与する給電装置３３と、電極１７０〜２００間の電気抵抗を検出する電気抵抗検出部３４（図９参照）とが設けられている。また、給電回路基板３３１には、電気抵抗検出部３４の検出結果が入力される制御部３５が搭載されている。制御部３５には、検出された電気抵抗が所定値以下の場合に制御部３５の制御のもとで給電装置３３からの電位差を調整する電位差調整部３５２（図９参照）が設けられている。さらに、制御部３５には、給電装置３３の駆動を制御する給電制御部３５３（図９参照）が設けられている。また、制御部３５には、スイッチ３３５による給電装置３３の作動開始からの経過時間を計測して、一定時間（例えば１０分）経過したときに、節電のために給電装置３３からの出力を低下または供給停止させるタイマ部３５１（図９参照）が設けられている。これにより、給電装置３３が長時間作動することが抑制されて、電池３１の早期放電が防止されるようになっている。
【００３０】
給電装置３３は図示しない発振回路に接続されており、当該発振回路の動作により波形の異なる３種類のパルス電圧が供給されるように構成されている。給電装置３３の出力電圧はスイッチ３３５により切替可能となっているとともに、発振回路の動作は、スイッチ３３６により切替可能となっている。そして、これらの切替状態は、ＬＥＤランプ３３７によって点灯表示される。
【００３１】
電源回路基板３２１は、図３に示すように、ネジ３２２によって本体下側部１２４の内側面に取り付けられている。本体下側部１２４は、本体１２の外側に開口するように凹状に形成されて電池３１を保持する電池保持部３１２を備える。なお、電池３１はボタン型の電池であって、本例では電池３１としてＣＲ２０３２型のボタン電池を採用している。電池保持部３１２には、電池３１の各電極と接触して電気的に接続される電池接続端子３１３、３１４が設けられている。電池接続端子３１３、３１４は電源回路基板３２１に接続されており、電源回路基板３２１に電池３１の電力が供給される。本体下側部１２４には、電池保持部３１２を覆う蓋３１１は着脱可能に設けられている。本体下側部１２４と蓋３１１との間には、Ｏリング３１１ａが介在しており、本体下側部１２４と蓋３１１との間がシールされている。
【００３２】
図２に示すように、本体下側部１２４には本体１２の水没を検出して水没検出信号を出力する水没検出部６としての水没センサ６０が設けられている。水没センサ６０は、後述する本体１２と回転体１９、２０（電極１９０、２００）との接続部１３０ｂの近傍に位置している。水没センサ６０は、図２、図３に示すように、一対の水没検出電極６０ａ、６０ｂを備えている。水没センサ６０は、図３に示すように、Ｏリング６２が取り付けられた状態で本体下側部１２４に設けられた貫通孔からなる筒状の取付孔６１に挿通されている。そして、Ｏリング６２によって、取付孔６１の壁面と水没センサ６０との間がシールされている。水没センサ６０は、固定板６４に形成されたスリット６４ａに嵌め込まれている。そして、固定板６４はネジ６５によって本体下側部１２４の内側面に取り付けられる。これにより、水没センサ６０は、固定板６４を介して本体下側部１２４に取り付けられている。水没センサ６０はセンサハーネス６３を介して給電回路基板３３１に電気的に接続されている。尚、水没センサ６０は、本体１２と回転体１７、１８（電極１７０、１８０）との接続部１３０ａの近傍に位置しても良い。また、接続部１３０ａ及び接続部１３０ｂ双方の近傍に設置する等、水没センサ６０を複数設けること事も可能である。この場合には、いずれか１つの水没センサ６０が水没を検知した場合に水没と判定させるようにしても良いし、複数の水没センサ６０のうち、所定の数の水没センサ６０が水没を検知した場合に水没と判定させるようにしても良い。
【００３３】
一対の水没検出電極６０ａ、６０ｂは、図４に示すように、後述の下面カバー１２８のセンサ孔１２８ｂを介して本体１２に表出して互いに離れて配設されている。そして、水没センサ６０は、該一対の水没検出電極６０ａ、６０ｂ間の電気抵抗が所定値よりも低下することにより本体１２の水没を検出する。すなわち、マッサージ器１は、図９に示すように、本体１２の水没を検出する水没検出部６として水没センサ６０を備えている。尚、水没センサ６０を本体１２ではなく、回転体１７〜２０に配設するようにしても構わない。回転体１７〜２０に水没センサ６０を配設する事で、電極１７０〜２００の水没を検出する事ができる。前述の通り、マッサージ器１の使用時に、使用者は、導電性のジェルを肌に塗布し、肌に対する導電性を高める事があるため、一対の水没検出電極６０ａ、６０ｂが肌に触れてしまうと、導電性ジェルの影響により水没検出電極６０ａ、６０ｂ間の電気抵抗が所定値よりも低下し、水没を誤検出する可能性がある。よって、回転体１７〜２０に水没センサ６０を配設する場合には、使用者の肌と接しない箇所に取り付けるようにするのが好ましい。水没センサ６０を、本体１２、回転体１７〜２０の双方に配設するようにしても勿論構わない。
【００３４】
図３に示すように、本体上側部１２３には、スイッチ３３５、３３６に対向する位置にそれぞれ貫通孔３３５ａ、３３６ａが形成されているとともに、ＬＥＤランプ３３７に対向する位置にスリット３３７ａが形成されている。そして、本体上側部１２３の上面には、貫通孔３３５ａ、３３６ａを介してスイッチ３３５、３３６を押圧可能なようにボタン４３６、４３７が配設されているとともに、スリット３３７ａを覆うように表示パネル５１６が配設されている。表示パネル５１６は透光性樹脂からなり、表示パネル５１６の内側に配設されたＬＥＤランプ３３７の光が外部に透過される。これにより、給電装置３３の出力電圧や発振回路の動作の切替状態を表示する表示部５２（図１、図９参照）が形成されている。
【００３５】
さらに、本体上側部１２３の上面には、上面カバー１２６が取り付けられている。上面カバー１２６には複数の係合爪（図示せず）が形成されているとともに、本体上側部１２３には当該係合爪が係合する複数の係合溝（図示せず）が形成されている。上面カバー１２６の係合爪が本体上側部１２３の係合溝に係合することにより上面カバー１２６が本体上側部１２３に固定されている。上面カバー１２６が本体上側部１２３の上面に取り付けられることにより、ネジ孔１２５ａが外部から視認されないようになっている。
【００３６】
上面カバー１２６は、ボタン４３６、４３７及び表示パネル５１６に対向する位置に、ボタン４３６、４３７及び表示パネル５１６の外形に沿う切り抜き部１２６ａが形成されており、当該切り抜き部１２６ａを介してボタン４３６、４３７及び表示パネル５１６が本体１２の上面に表出している。なお、上面カバー１２６におけるボタン４３６、４３７及び表示パネル５１６の周囲には意匠パネル１２９が取り付けられている。
【００３７】
本体下側部１２４の下面には、下面カバー１２８が取り付けられている。本体下側部１２４には、複数の係合溝１２４ａが形成されているとともに、下面カバー１２８には複数の係合爪１２８ａが形成されている。複数の係合爪１２８ａが係合溝１２４ａに係合されることにより、下面カバー１２８が本体下側部１２４の下面に固定されている。また、下面カバー１２８には、本体下側部１２４の取付孔６１に対向する位置にセンサ孔１２８ｂが形成されている。そして、本体下側部１２４の取付孔６１、下面カバー１２８及びセンサ孔１２８ｂを介して、水没センサ６０が本体１２の外部に露出するようになっている。これにより、水没検出部６は、電極１７０〜２００が露出する側の面に設けられることとなっている。また、下面カバー１２８において、電池保持部３１２に対向する位置には、開口部１２８ｃが形成されており、下面カバー１２８が装着された状態で、電池保持部３１２に対して電池３１の着脱が可能となっている。
【００３８】
図３に示すように、本体上側部１２３の外縁に沿って排水溝１２３ａが形成されているとともに、本体下側部１２４の外縁に沿って排水溝１２４ｃが形成されている。そして、排水溝１２３ａは本体上側部１２３の前端側に、排水溝１２４ｃに連通する排水孔１２３ｂを備える。また、図示しないが排水溝１２３ａは本体上側部１２３の後端側にも排水溝１２４ｃに連通する排水孔を備える。一方、排水溝１２４ｃは本体下側部１２４の前端側及び後端側に、下面カバー１２８側に開口した図示しない排水孔を備える。そして、下面カバー１２８は、その前端側及び後端側に本体下側部１２４の排水溝１２４ｃの排水孔を介して連通するとともに、外部に開口する排水口１２８ｅをそれぞれ有する。これにより、本体上側部１２３と上面カバー１２６との間や、本体下側部１２４と下面カバー１２８との間に入り込んだ水は、排水溝１２４ｃ、排水溝１２３ａ、排水孔１２３ｂ及び排水口１２８ｅを介して外部に排出され、本体上側部１２３と本体下側部１２４によって囲まれている本体１２の内部への浸水の防止が図られている。また、本体上側部１２３の上面略中央には、通気孔１２３ｃが形成されているとともに、当該通気孔１２３ｃは樹脂製多孔質フィルム１２３ｄによりシールされており、本体上側部１２３の内側への浸水の防止が図られている。
【００３９】
図２、図３に示すように、本体１２の下面側には４個の回転体１７〜２０が備えられている。回転体１７〜２０はそれぞれ支持軸１３〜１６を介して本体１２に取り付けられている。回転体１７〜２０の表面には電極１７０〜２００としての導電メッキが形成されている。回転体１７の取り付け態様について以下に詳述する。図５に示すように、回転体１７はローラ固定リング２１３を備えている。ローラ固定リング２１３は、円筒状の筒状部２１３ａと、筒状部２１３ａにおける一端側端部に円環状に形成されている鍔部２１３ｂと、筒状部２１３ａと鍔部２１３ｂとの接合部において外周面に形成された円環状の環状溝部２１３ｃと、を有する。環状溝部２１３ｃには、Ｏリング２１３ｄが装着されている。そして、ローラ固定リング２１３には、図６に示すように、筒状部２１３ａの軸心を貫通する貫通孔２１３ｆが形成されており、貫通孔２１３ｆに支持軸１３が挿通されている。支持軸１３の本体１２側端部近傍には拡径部１３ｃが形成されている。拡径部１３ｃは外周部の一部がカットされており、軸方向に垂直な断面形状がＤ字状となっている。
【００４０】
ローラ固定リング２１３の筒状部２１３ａには、図６に示すように、オイルシール２１４が配設されている。オイルシール２１４は、筒状部２１３ａに嵌め込まれる環状の嵌め合い部２１４ａと、嵌め合い部２１４ａの内周面に環状に突出形成されるリップ部２１４ｂとを有する。嵌め合い部２１４ａの外径は筒状部２１３ａの内径に一致しており、両者の軸心を一致させた状態で嵌め合い部２１４ａが筒状部２１３ａ内に嵌入している。そして、リップ部２１４ｂが支持軸１３の外周面に摺接しているとともに、両者の間に潤滑剤としてオイルシールグリースが介在しており両者の間がシールされている。
【００４１】
ローラ固定リング２１３における鍔部２１３ｂと反対側にはボール軸受型の環状のベアリング２１５が配置されている。ベアリング２１５の内径は支持軸１３の外径と一致しており、ベアリング２１５に支持軸１３が挿通されている。ベアリング２１５の外径はローラ固定リング２１３の筒状部２１３ａの内径よりも大きく、ベアリング２１５は筒状部２１３ａにおける鍔部２１３ｂの反対側の縁部に当接している。さらに、支持軸１３の中央付近には外周面に溝１３ｄが形成されており、該溝１３ｄにＥリング２１６が係合されている。ベアリング２１５は、筒状部２１３ａの縁部とＥリング２１６と支持軸１３の軸方向両側から挟まれており、抜け止めがなされている。
【００４２】
図５に示すように、ベアリング２１５には、接続金具２１７が取り付けられている。接続金具２１７は、ベアリング２１５の軸方向の一端面に沿う環状の環状本体部２１７ａと、環状本体部２１７ａからベアリング２１５の外周面に沿って延びるとともにベアリング２１５の軸方向の他端面に係合する２つの係合爪２１７ｂと、環状本体部２１７ａからベアリング２１５の外周面に沿っての当該外周面の軸方向中央まで延びる一つのガイド爪２１７ｃと、ベアリング２１５と反対側に突出して支持軸１３の軸心側に傾斜する接続突起２１７ｄを有する。２つの係合爪２１７ｂと一つのガイド爪２１７ｃとは周方向において等間隔（すなわち、支持軸１３の軸心を中心に１２０°間隔）に形成されている。接続金具２１７は、ガイド爪２１７ｃをベアリング２１５の外周面に沿わせつつ、係合爪２１７ｂをベアリング２１５の外周面に沿って軸方向の他端面に係合することで環状本体部２１７ａがベアリング２１５の軸方向の一端面に沿うように配設されている。そして、図６に示すように、接続突起２１７ｄの先端部が支持軸１３の外周面に摺接している。これにより、接続金具２１７と支持軸１３とが通電可能な状態となっている。
【００４３】
図５、図６に示すように、支持軸１３における本体１２（図２参照）と反対側の端部１３ａに回転体１７が取り付けられている。回転体１７は、アウタローラ２１０と、アウタローラ２１０の内部を形成するローラコア２１１と、アウタローラ２１０の内部において支持軸１３の端部１３ａを覆うローラキャップ２１２とを有する。図６に示すように、アウタローラ２１０は、回転体１７の外周面を形成するとともに、回転体１７の内側に筒状に内側筒状部２１０ａを形成している。内側筒状部２１０ａとローラ固定リング２１３との間はＯリング２１３ｄが介在しており、両者の間がシールされている。アウタローラ２１０の表面には電極１７０としての導電メッキ（本例では、クロムメッキ）が形成されている。そして、接続金具２１７の環状本体部２１７ａ、係合爪２１７ｂ及びガイド爪２１７ｃは、アウタローラ２１０の一部である内側筒状部２１０ａの表面と接している。これにより、接続金具２１７とアウタローラ２１０の導電メッキ（電極１７０）とが通電可能な状態となっている。
【００４４】
図５、図６に示すように、ローラ固定リング２１３の鍔部２１３ｂにはネジ２１３ｅが挿通する孔２１３ｇが４カ所形成されている。そして、孔２１３ｇにネジ２１３ｅが挿通されるとともに、アウタローラ２１０の内側筒状部２１０ａ内にローラ固定リング２１３の筒状部２１３ａが収納されるように、孔２１３ｇに挿通されたネジ２１３ｅを介してローラ固定リング２１３が回転体１７の内側に取り付けられる。そして、支持軸１３における本体１２（図２参照）側の端部１３ｂには、ネジ１３ｅを介して出力ハーネス３３９が取り付けられている。支持軸１３は導電性の金属（本例では、ステンレス合金）からなっており、出力ハーネス３３９と支持軸１３とが通電可能な状態になっている。
【００４５】
支持軸１３における本体１２（図２参照）側の端部１３ｂは、図３に示すように、下面カバー１２８に設けられた貫通孔１２８ｄに挿通されるとともに、本体下側部１２４に設けられた支持孔１２４ｄに挿通されている。そして、支持孔１２４ｄは拡径部１３ｃの外形に沿うようにＤ字状の形状をなしており、支持軸１３の拡径部１３ｃが支持孔１２４ｄ内に位置している。これにより、支持軸１３の回り止めがなされている。本体１２内に位置する端部１３ｂには、抜け止め用のＥリング２１８が取り付けられている。なお、支持軸１３と支持孔１２８ｄの壁面との間には支持軸１３に挿通されたＯリング２１９が介在して、両者の間をシールしている。
【００４６】
そして、他の回転体１８〜２０も、回転体１７と同様に支持軸１４〜１６を介して本体１２に取り付けられている。これにより、図２に示すように、回転体１７、１８は、本体１２の下面の接続部１３０ａに接続されており、回転体１９、２０は、本体１２の下面の接続部１３０ｂに接続されている。また、支持軸１３〜１６は、本体１２の上部から下部に向かって先広がりの傾斜状、つまり放射状に延びる軸線上に回転体１７〜２０が位置するように配列している。
【００４７】
図２に示すように、各対の支持軸１３、１４間の軸線間隔（支持軸１３、１４における本体１２と反対側の端部同士の間の距離）と支持軸１５、１６間の軸線間隔はいずれも同一のＬ１となるように構成されている。また、対間の支持軸１３、１５及び支持軸１４、１６においても、それらの軸線間隔Ｌ２が同一となるように構成されている。そして、対間の支持軸１３、１５及び支持軸１４、１６における軸線間隔Ｌ２が、各対の支持軸１３、１４及び支持軸１５、１６における軸線間隔Ｌ１よりも大きくなるように構成されている。
【００４８】
図８に示すように、支持軸１３及び支持軸１４に平行な断面における支持軸１３のｐ軸線１３１と支持軸１４の軸線１４１とのなす角αは６０°〜８０°であることが好ましく、７０°であることがより好ましい。また、図示しないが、支持軸１５及び支持軸１６に平行な断面において、支持軸１５と支持軸１６とのなす角も支持軸１３と支持軸１４とのなす角αと同一である。また、図７に示すように、回転体１７の中心と回転体１８の中心とが重なる方向から見て、回転体１７〜２０のすべてが接する平面Ｕに対して垂直な仮想線Ｔと支持軸１３、１４の軸線１３１、１４１とのなす角βはそれぞれ３０°である。また、回転体１９の中心と回転体２０の中心とが重なる方向から見て、仮想線Ｔと支持軸１５、１６の軸線１５１、１６１とのなす角γもそれぞれ３０°である。
【００４９】
各回転体１７〜２０の径はそれぞれ、３８〜４５ｍｍとすることが好ましく、４０ｍｍとすることがより好ましい。各回転体１７〜２０の径の大きさは、すべて同じであってもよいし、その一部の径が他の径と異なっていてもよい。
【００５０】
図２に示す回転体１７の外表面（電極１７０）と回転体１８の外表面（電極１８０）との距離（すなわち回転体１７と回転体１８との間隔）Ｍ１よりも、回転体１７の外表面（電極１７０）と回転体１９の外表面（電極１９０）との距離（すなわち回転体１７と回転体１９との間隔）Ｍ２の方が大きい。そして、距離Ｍ１は９ｍｍ〜１３ｍｍであることが好ましく、１１ｍｍであることがより好ましい。また、距離Ｍ２は、１４ｍｍ〜４０ｍｍであることが好ましく、３９．５ｍｍであることがより好ましい。なお、回転体１９と回転体２０との間隔は上記間隔Ｍ１と同一である。また、回転体１８と回転体２０との間隔は上記間隔Ｍ２と同一である。
【００５１】
本例のマッサージ器１の使用時には、回転体１７〜２０を肌に接触させて回転させると、回転体１７〜２０により肌及び筋肉が押圧されたり摘み上げられたりして揉みほぐされる。さらに、回転体１７〜２０の外表面は電極１７０〜２００を成しているとともに、本体１２内に搭載された電池３１からの電力によって給電装置３３が作動され、当該給電装置３３から電極１７０、１８０と電極１９０、２００との間に電位差が与えられる。そして、電極１７０〜２００が肌に接触されることにより、電極１７０〜２００間の肌に微弱電流が流れて、肌に電気的刺激が与えられる。その結果、電気的刺激と回転体１７〜２０の回転による上記揉みほぐしとの協働作用により、良好なマッサージ効果を得ることができる。
【００５２】
電極１７０、１８０と電極１９０、２００との間に生じる電位差は適宜設定することができる。ただし、電位差が大きすぎる場合は肌に対する電気的刺激が過度となって使用者が痛みを感じるおそれがあるため好ましくない。また、電位差が小さすぎる場合は使用者が電気的刺激に対する体感を得られにくいため好ましくない。例えば、電位差は、上記微弱電流が０．１〜１．２５ｍＡとなるように設定することができる。
【００５３】
回転体１７〜２０を肌に接触させた瞬間においては、両者の接触部分が非常に狭いため、両者の間に流れる微弱電流が当該狭い接触部分に集中することにより、使用者に過度の電気的刺激を与えるおそれがある。これを回避するために、回転体１７〜２０と肌とが接触したとき、すなわち、電極１７０〜２００間の電気抵抗を検出する電気抵抗検出部３４が、当該電気抵抗が所定値以下に変化したことを検出したことにより、回転体１７〜２０と肌との接触を検出したときには、電位差調整部３５２において両者の間における微弱電流を低い値から徐々に上昇させる、いわゆるスロースタート制御を行ってもよい。
【００５４】
次に、マッサージ器１における水没状態を検出するための制御態様について、以下に詳述する。
図１０に示すように、まず、スイッチ３３５をオンにする（ステップＳ１０）。その後、水没センサ６０における一対の水没検出電極６０ａ、６０ｂ（図２参照）間の電気抵抗を検出する（ステップＳ１１）。そして、水没検出部６は一対の水没検出電極６０ａ、６０ｂの電気抵抗が所定値以下であるが否かを判断する（ステップＳ１２）。水没検出部６が、当該電気抵抗が所定値以下でないと判断すると（ステップＳ１２のＮｏ）、制御部３５（給電制御部３５３）の制御指示に従って、給電装置３３が電極１７０〜２００に給電する（ステップ１３）。その後、ステップＳ１１に戻る。
【００５５】
ステップＳ１２において、水没検出部６が当該電気抵抗が所定値以下であると判断すると（ステップＳ１２のＹｅｓ）、マッサージ器１が水没状態であると判定し（ステップＳ１４）、水没検出部６は、制御部３５に水没検出信号を出力する（ステップＳ１５）。そして、制御部３５は給電装置３３が電極１７０〜２００に給電しているか否かを判断する（ステップＳ１６）。給電装置３３が電極１７０〜２００に給電していないと判断した場合（ステップＳ１６のＮｏ）は、ステップＳ１１に戻る。
【００５６】
ステップＳ１６において、給電装置３３が電極に給電していると判断した場合（ステップＳ１６のＹｅｓ）は、制御部３５の給電制御部３５３は、給電装置３３に停止信号を出力する（ステップＳ１７）。そして、給電装置３３は電極１７０〜２００への給電を停止する（ステップＳ１８）。その後はステップＳ１１に戻る。尚、制御部３５が水没検出部６からの水没検出信号を受け付けた場合に、ステップＳ１６の判断処理を行わずに、給電制御部３５３が給電装置３３に停止信号を出力するように構成しても良い。
【００５７】
これにより、水没状態と判断されると、回転体１７〜２０への給電が停止されるように制御される。その結果、本体１２が水没した場合に電極１７０〜２００間に電流が過剰に流れることが確実に防止される。尚、図１０では、ステップＳ１８の処理の後、処理をステップＳ１１に戻しているが、ステップＳ１８の処理を終了後、スイッチ３３５をオフにし、図１０に示す処理を終了するようにしても良い。その場合には、水没検知信号が出力されたことにより、給電装置３３から電極１７０〜２００への給電が停止した後に、再度使用者がスイッチ３３５をオンにする操作を行わない限り、給電装置３３から電極１７０〜２００への給電が再開されない。これにより、使用者が意図していない電極１７０〜２００への給電の再開を好適に防ぐことができ、電池３１の早期放電が防止される。また、一定時間（例えば１分）水没状態が続いた場合に、スイッチ３３５をオフにするように構成する事も勿論可能である。さらには、給電装置３３から電極１７０〜２００への給電が停止した後に、表示部５２の表示を、給電装置３３の出力電圧や発振回路の動作の切替状態の表示から、本体１２が水没したことを使用者に報知する為の表示に切り替えるようにしても良い。これにより、使用者に本体１２が水没していることを好適に報知する事が可能となる。
【００５８】
マッサージ器１によれば、電極１７０、１８０と電極１９０、２００の間には電位差が付与されているため、当該電極１７０〜２００を肌に接触させて、肌に電気的刺激を与えることにより、マッサージ効果を奏する。そして、マッサージ器１の本体が水没した場合には、水没検出部６によって当該水没が検出されて水没検出信号が出力される。そして、制御部３５に水没検出信号が入力されることにより、給電制御部３５３が、給電部３によって電極１７０〜２００間に付与されていた電位差を制御する。これにより、電極１７０〜２００間の電気抵抗が過度に低下しても、当該電極１７０〜２００間に過剰に電流が流れることを抑制できる。その結果、使用者が感電することや、マッサージ器１内の電子部品等に過剰な負荷がかかることや、大量の電力を無駄に消費することなどの不具合を未然に防止することができる。そのため、浴室などの水没のおそれがある場所で使用する際にも特段の注意を払う必要がなく、使い勝手が良い。
【００５９】
また、本例では、電極１７０〜２００とは別に水没検出部６が設けられているため、導電性のジェルなどを肌に塗布して使用した場合であっても、当該ジェルによる水没状態の誤検出が抑制されて、当該ジェルを使用する場合においても使い勝手が良い。
【００６０】
本例のマッサージ器１に備えられる４つの電極１７０〜２００は、導電性の回転体１７〜２０の表面に形成されている。本体１２の把持部１２２を把持して、各回転体１７〜２０を肌に押し当てながら、図１及び図２に示すように矢印Ｐ１（又はＰ２の方向）に、マッサージ器１を移動させる。先行する一対の回転体１７、１８（又は一対の回転体１９、２０）は移動方向の前方側に向かって広がっているため、先行する一対の回転体１７、１８（又は一対の回転体１９、２０）が内向きに回転して肌が押圧され、マッサージ効果が奏される。一方、後行する一対の回転体１９、２０（又は一対の回転体１７、１８）は移動方向の後方側に向かって広がっているため、後行する一対の回転体１９、２０（又は一対の回転体１７、１８）が内向きに回転して両回転体１９、２０（又は両回転体１７、１８）間において肌が摘み上げられ、マッサージ効果が奏される。つまり、本体１２の一方向（Ｐ１方向又はＰ２方向）への移動によって、肌の同じ部分に対して押圧と摘み上げとの異なったマッサージ効果が得られる。
【００６１】
また、Ｑ１方向及びＱ２方向にマッサージ器１を移動させた場合においても、上述のＰ１方向及びＰ２方向の場合と同様に、先行する一対の回転体１７、１９（又は一対の回転体１８、２０）が内向きに回転して肌が押圧し、後行する一対の回転体１９、２０（又は一対の回転体１７、１８）が内向きに回転して肌が摘み上げられ、肌の同じ部分に対して押圧と摘み上げとの異なったマッサージ効果が得られる。
【００６２】
各対の回転体１７、１８と回転体１９、２０との軸線間隔Ｌ１は、回転体１７、１９と回転体１８、２０との軸線間隔Ｌ２よりも小さくなっている。このため、Ｐ１方向又はＰ２方向にマッサージ器１を移動させることにより、身体の腕や足首等の曲率が大きくて細い部位を、回転体１７、１８の間及び回転体１９、２０間のそれぞれにおいて、効果的にマッサージすることができる。
【００６３】
回転体１７〜２０は球状を成している。これにより、回転体１７〜２０を肌に当接させた状態で、回転体１７〜２０をスムーズに回転させることができ、使用感に優れる。また、肌の摘み上げ効果や、揉みほぐし効果を奏することができ、マッサージ効果を一層向上できる。尚、回転体１７〜２０を楕円球状にすることや、球状と楕円球状を組み合わせた形状とすること等も勿論可能である。
【００６４】
さらに、このマッサージ器１の使用時には、本体１２内に搭載された電池３１からの電力によって給電装置３３が作動され、その給電装置３３から電極１７０、１８０と電極１９０、２００との間に電位差が与えられる。これにより、その電極１７０〜２００の間の肌に微弱電流が流れて、電気的刺激が与えられる。よって、その電気的刺激と前記揉みほぐしとの協働作用により、良好なマッサージ効果を得ることができる。
【００６５】
また、回転体１７、１９と回転体１８、２０との間隔Ｍ１よりも、回転体１７、１８と回転体１９、２０との間隔Ｍ２の方が大きい。そして、上述の給電装置３３の作動時には、配置間隔の大きい回転体１７、１８の電極１７０、１８０と回転体１９、２０の電極１９０、２００との間に電位差が与えられる。このため、電極１７０〜２００間の比較的広範囲な肌に電流を流すことができるので、局所的に電流が流れることなく、適度の電気的刺激を得ることができる。しかも、この給電装置３３の作動時には、電気抵抗検出部３４により電極１７０〜２００間の電気抵抗が検出されて、その検出された電気抵抗が所定値以下の場合に、電位差調整部３５２により給電装置３３からの電位差が下げられる。このため、例えば肌が濡れているような電気抵抗が小さい場合においても、肌に電流が流れすぎて、強い電気的刺激が与えられるおそれはない。
【００６６】
さらに、導電性材料を含む導電性ジェルを肌に塗布して、電極１７０〜２００と肌との間に当該導電性ジェルを介在させることにより、肌に対する導電性を高めることができる。これにより、電極１７０、１８０と電極１９０、２００との間に電位差を確実に与えて、効果的に電気的刺激を肌に与えることができる。特に肌が乾燥状態にある場合にも、当該肌に効果的に電気的刺激を肌に与えることができる。使用される導電性ジェルの種類は特に限定されず、公知のものを使用することができる。例えば、痩身効果を奏する導電性ジェルを使用することができる。これにより、上記マッサージ効果および電気的刺激に加えて、痩身効果を奏することができる。
【００６７】
本例では、水没検出部６は、本体１２に設けられている。これにより、肌に導電性のジェルを塗布して使用した場合において、当該ジェルが水没検出部６に干渉することが抑制されるため、当該ジェルによる水没状態の誤検知が一層抑制される。そのため、当該ジェルを使用した場合の使い勝手が一層向上する。
【００６８】
本例では、本体１２は把持可能であるとともに、水没検出部６は本体１２において電極１９０、２００との接続部１３０ｂの近傍に設けられている。これにより、本体１２（把持部１２２）を把持したときに手が水没検出部６に触れることを抑制できる。その結果、水没状態の誤検出を抑制できるとともに、本体１２（把持部１２２）を把持した状態でマッサージ器１が水没した場合においても水没状態を確実に検出できる。
【００６９】
図１１（ａ）に示すように、回転体１７の表面には、支持軸１３の軸線１３１に対して傾斜した傾斜軸線１７０ａに垂直な複数の仮想面Ｋによる各断面の輪郭に相当する断面輪郭線１７１が複数形成されている。そして、隣り合う断面輪郭線１７１の間にはそれぞれ環状に形成された帯状面１７２が形成されている。各帯状面１７２は回転体１７の内側に緩やかに窪んでいる。したがって、各帯状面１７２は、傾斜軸線１７０ａの軸線方向に配列しているとともに、断面輪郭線１７１は互いに隣接する帯状面１７２における境界線として視認可能に形成されている。各帯状面１７２において、その幅（すなわち傾斜軸線１７０ａの軸線方向の長さ）は略一定となっている。
【００７０】
回転体１７は軸線１３１を中心に回転可能となっている。そして、図１１（ａ）〜図１１（ｄ）に示すように、軸線１３１に垂直な方向から見たときの軸線１３１に対する傾斜軸線１７０ａの側方投影傾斜角度θは、回転体１７の回転に伴って変化するように観察される。図１１（ａ）及び図１１（ｃ）に示すように、軸線１３１にして傾斜軸線１７０ａが最も傾斜している状態における側方投影傾斜角度θは、例えば、０°より大きく４５°以下とすることができ、好ましくは５°〜２０°であり、本例では１０°である。
【００７１】
また、各断面輪郭線１７１は、軸線１３１に垂直な方向から見たときに、回転体１７の回転に伴って、直線状と湾曲線状とを繰り返して観察されることとなる。具体的には、図１１（ａ）に示す状態（すなわち、側方投影傾斜角度θが最大になる状態）では、軸線１３１に対して傾斜した直線状に観察される。そして、回転体１７が回転すると、各断面輪郭線１７１は直線状から徐々に支持軸１３の端部１３ｂ側（本体１２側）に膨らんだ湾曲線状に変化するように観察され、図１１（ｂ）に示す状態（すなわち、側方投影傾斜角度θが最大になる状態から４分の１回転した状態であって、軸線１３１と傾斜軸線１７０ａとが重なっている状態）において端部１３ｂ側に最も膨らんだ湾曲線状に観察される。
【００７２】
その後、回転体１７がさらに回転すると、各断面輪郭線１７１は湾曲線状から徐々に直線状に変化するように観察され、図１１（ｃ）に示す状態（すなわち、軸線１３１と傾斜軸線１７０ａとが重なっている状態からさらに４分の１回転した状態であって、再び側方投影傾斜角度θが最大になる状態）において軸線１３１に対して図１１（ａ）に示す傾斜方向と反対方向に傾斜した直線状に観察される。その後、回転体１７がさらに回転すると、各断面輪郭線１７１は直線状から徐々に支持軸１３の端部１３ａ側（本体１２と反対側）に膨らんだ湾曲線状に変化するように観察され、図１１（ｄ）に示す状態（すなわち、側方投影傾斜角度θが再度最大になった状態から４分の１回転した状態であって、軸線１３１と傾斜軸線１７０ａとが重なっている状態）において端部１３ａ側に最も膨らんだ湾曲線状に観察される。
【００７３】
そして、図１１（ｄ）に示す状態から回転体１７がさらに回転すると、各断面輪郭線１７１は湾曲線状から徐々に直線状に変化するように観察され、図１１（ｄ）に示す状態から４分の１回転した状態において、上述の図１１（ａ）に示す状態となり、再度軸線１３１に対して傾斜した直線状に観察される。図２に示すように、回転体１８、１９、２０にも断面輪郭線１７１と同様の断面輪郭線１８１、１９１、２０１が形成されており、帯状面１７２と同様の断面輪郭線１８２、１９２、２０２が形成されている。回転体１７と同様の態様で回転して同様に観察される。
【００７４】
このように、回転体１７〜２０の回転に伴って、断面輪郭線１７１が直線状と湾曲線状とを繰り返して観察されるため、使用者は回転体１７〜２０の回転を容易に視認することができる。さらに、回転体１７〜２０の帯状面１７２〜２０２が上述の如く形成されているため、帯状面１７２〜２０２が形成されていない場合（回転体１７〜２０が平滑な面である場合）に比べて、肌の摘み上げ効果や揉みほぐし効果を向上することができる。これに加えて、回転体１７〜２０の回転角度に応じて、回転体１７〜２０と肌との接触状態が変化することとなるため、肌の摘み上げ効果や揉みほぐし効果に若干の緩急がもたらされ、使用感の更なる向上に寄与する。
【００７５】
また、本実施形態の回転体１７の表面には、支持軸１３の軸線１３１に対して傾斜した傾斜軸線１７０ａに垂直な複数の仮想面Ｋによる各断面の輪郭に相当する断面輪郭線１７１が複数形成され、隣り合う断面輪郭線１７１の間にはそれぞれ環状に形成された帯状面１７２が形成されている。断面輪郭線１７１を軸線１３１と同方向に形成した場合と比較すると、帯状面が継続して使用者の肌と接する事となり、電極１７０と使用者の肌との接触が点接触になってしまうことを好適に防ぐことができる。これにより、継続的に安定した電気的刺激を使用者に与えることが可能となる。
【００７６】
なお、本例では、複数の帯状面１７２〜２０２を回転体１７〜２０の内側に緩やかに窪んだ形状としたが、これに替えて、図１２（ａ）〜図１２（ｄ）に示す形状とすることもできる。具体的には、図１２（ａ）に示すように、隣り合う断面輪郭線１７１の間の帯状面１７２ａを平面状に形成してもよい。当該帯状面１７２ａは、傾斜軸線１７０ａ（図１１（ａ）参照）を含む断面において直線状となっている。また、図１２（ｂ）に示すように、隣り合う断面輪郭線１７１の間の帯状面１７２ａを平面状に形成するとともに、帯状面１７２ａの隣に位置する帯状面１７２ｂを回転体１７の外側に膨らんだ形状とすることができる。また、図１２（ｃ）に示すように、隣り合う断面輪郭線１７１の間の帯状面１７２ａを平面状に形成するとともに、断面輪郭線１７１に沿って線状溝１７２ｃを形成してもよい。また、図１２（ｄ）に示すように、隣り合う断面輪郭線１７１の間の帯状面１７２ｄは緩やかな湾曲面であって、隣接する帯状面１７２ｄと互いに滑らかにつながっていることによって回転体１７全体として略球状を成しているとともに、断面輪郭線１７１に沿って回転体１７の表面に所定のインクを使用して印刷によって環状の線が形成されていることとしてもよい。
【００７７】
以上のいずれの場合においても、回転体１７〜２０の回転に伴って、断面輪郭線１７１が直線状と湾曲線状とを繰り返して観察されるため、使用者は回転体１７〜２０の回転を容易に視認することができる。また、印刷により断面輪郭線１７１を形成した図１２（ｄ）に示す場合を除いて、肌の摘み上げ効果や揉みほぐし効果を向上することができるとともに、肌の摘み上げ効果や揉みほぐし効果の緩急をもたらして、使用感の更なる向上を図ることができる。
【００７８】
また、上記複数の帯状面１７２〜２０２に替えて、らせん状溝を形成してもよい。また、上記複数の帯状面１７２〜２０２の内、一部の帯状面１７２〜２０２に沿って、回転体１７〜２０の形成材料と異なる材料を埋め込んでもよい。埋め込む材料としては、例えば、ゲルマニウム合金やチタン合金などを採用することができる。
【００７９】
また、上記複数の帯状面１７２〜２０２を設けずに、回転体１７〜２０の表面を平滑な面にしても良い。その場合には、電極１７０〜２００と肌を接触させやすくすることができる。ただ、複数の帯状面１７２〜２０２を形成した場合と比較すると、回転体１７〜２０の回転が分かりづらくなってしまったり、肌の摘み上げ効果が低下してしまったりする。さらには、上記複数の帯状面を回転軸の軸方向に形成するようにしても構わない。
【００８０】
また、さらには、上記複数の帯状面１７２〜２０２に替えて、三角形の小平面を多数組み合わせたダイヤカットを形成してもよい。また、回転体１７〜２０の表面の一部又は全部に、微細な凹凸からなる梨地面を形成したり、円錐状や円柱状からなる微小突起を形成したりしてもよい。これらの場合には、回転体１７〜２０が平滑な面である場合に比べて、肌の摘み上げ効果や揉みほぐし効果を向上することができる。
【００８１】
支持軸１３〜１６の軸線に対して少なくとも１個の回転体１７〜２０の中心軸線を偏心させることとしてもよい。この場合には、中心軸線を偏心させた回転体１７〜２０は偏心回転するため、皮膚への当接圧力に強弱をつけることができる。
【００８２】
以上のごとく、本例によれば、肌に電気的刺激を与えて良好なマッサージ効果を得ることができるとともに、水没による不具合の発生を抑制でき、使い勝手の良いマッサージ器１を提供することができる。
【００８３】
（実施例２）
実施例２におけるマッサージ器１は、図１３に示すように、実施例１の給電制御部３５３（図９参照）は備えられていない。そして、本例では、マッサージ器１における水没状態を検出するための制御態様は、以下のようになされる。なお、実施例１の場合と同等の構成要素については、同一の符号を付してその説明を省略する。
【００８４】
まず、実施例１の場合と同様にステップＳ１０〜Ｓ１４（図１０参照）が行われる。そして、図１０のステップＳ１４において、マッサージ器１が水没状態であると判断された後は、図１４に示すように、水没検出部６０から制御部３５に水没検出信号が出力される（ステップＳ２５）。その後、電気抵抗検出部３４（図１３参照）によって電極１７０〜２００間の電気抵抗を検出し、制御部３５が、当該電気抵抗が所定値以上であるか否かを判断する（ステップＳ２６）。
【００８５】
ステップＳ２６において、電極１７０〜２００間の電気抵抗が所定値以上でないと判断した場合（ステップＳ２６のＮｏ）は、制御部３５の電位差調整部３５２は給電装置３３に電位差調整信号を出力する（ステップＳ２７）。給電装置３３は電位差調整信号が入力されると、電極１７０〜２００への給電量を低下させ、電極１７０〜２００間の電位差が所定値以下となるように調整する（ステップＳ２８）。その後はステップＳ１１（図１０参照）に戻る。また、ステップＳ２６において、制御部３５が、電極１７０〜２００間の電気抵抗が所定値以上であると判断した場合（ステップＳ２６のＹｅｓ）もステップＳ１１（図１０参照）に戻る。
【００８６】
これにより、水没状態と判断されると、電極１７０〜２００間の電位差が所定値以下に調整される。その結果、本体１２が水没した場合に電極１７０〜２００間に電流が過剰に流れることが防止される。また、本例においても、実施例１の場合と同等の作用効果を奏する。尚、電極１７０〜２００間の電気抵抗が所定値（第１の所定値）、及び、電極１７０〜２００間の電位差の所定値（第２の所定値）は任意の値に設定する事が可能である。例えば、第１の所定値を理論上考えられないような大きな値に、第２の所定値を０Ｖに設定した場合には、実施例１と同様に、水没と判定されると、給電装置３３から電極１７０〜２００への給電が停止されることになる。尚、実施例１と同様、水没状態が一定時間（例えば１分）継続した場合にスイッチ３３５をオフにするように構成する事も勿論可能である。これにより、電池３１の早期放電が防止される。
【００８７】
（実施例３）
実施例３におけるマッサージ器１は、図１５に示すように、バイパス回路８０としての表示部５２及び切替部８を備える。また、制御部３５は、実施例１の給電制御部３５３（図９参照）に替えて、切替制御部３５４を備える。切替部８は給電部３（給電装置３３）と電極１７０〜２００とを接続する第１通電経路８１と、給電部３（給電装置３３）と電極１７０〜２００をバイパスするバイパス回路８０とを接続する第２通電経路８２と、を切り替えることができるように構成されている。本例のマッサージ器１における水没状態を検出するための制御態様は、以下のようになされる。なお、実施例１及び実施例２の場合と同等の構成要素については、同一の符号を付してその説明を省略する。
【００８８】
まず、実施例１の場合と同様にステップＳ１０及びＳ１１（図１０参照）が行われる。そして、図１５及び図１６に示すように、ステップＳ１１において、水没センサ６０における一対の水没検出電極６０ａ、６０ｂ間の電気抵抗を検出した後、ステップＳ１２において、一対の水没検出電極６０ａ、６０ｂ間の電気抵抗が所定値以下でないと判断された場合（ステップＳ１２のＮｏ）は、制御部３５が、切替部８において給電装置３３が電極１７０〜２００に接続されているか否かを判断する（ステップＳ３５）。接続されていないと判断した場合（ステップＳ３５のＮｏ）には、制御部３５の切替制御部３５４は、切替部８に第１切替信号を出力する（ステップＳ３６）。切替部８は第１切替信号が入力されると、第１通電経路８１に切り替えて給電装置３３を電極１７０〜２００に接続する（ステップＳ３７）。その後、給電装置３３が電極１７０〜２００に給電するよう制御する（ステップＳ３８）。一方、ステップＳ３５において、給電装置３３が電極１７０〜２００に接続されていると判断した場合（ステップＳ３５のＹｅｓ）にも、ステップＳ３８において給電装置３３が電極１７０〜２００に給電するよう制御する。
【００８９】
一方、ステップＳ１２において、一対の水没検出電極６０ａ、６０ｂ間の電気抵抗が所定値以下であると判断された場合（ステップＳ１２のＹｅｓ）は、ステップＳ１４において、マッサージ器１が水没状態であると判断し、その後、制御部３５に水没検出信号を出力する（ステップＳ３９）。そして、制御部３５は、切替部８において、給電装置３３が電極１７０〜２００に接続されているか否か判断する（ステップＳ４０）。接続されていないと判断された場合（ステップＳ４０のＮｏ）は、ステップＳ１１（図１０参照）に戻る。一方、ステップＳ４０において、給電装置３３が電極１７０〜２００に接続されていると判断された場合（ステップＳ４０のＹｅｓ）は、制御部３５の切替制御部３５４は切替部８に第２切替信号を出力する（ステップＳ４１）。切替部８は第２切替信号が入力されると第１通電経路８１から第２通電経路８２に切り替えることにより、給電装置３３と電極１７０〜２００との接続を解除して、給電装置３３を表示部５２に接続する（ステップＳ４２）。そして、給電装置３３から給電された表示部５２は、マッサージ器１が水没状態であることを表示する（ステップＳ４３）。
【００９０】
これにより、水没状態と判断されると、電極１７０〜２００への給電が停止されて、表示部５２に給電されるように制御される。その結果、本体１２が水没した場合に電極１７０〜２００間に電流が過剰に流れることが防止される。また、表示部５２において、マッサージ器１が水没状態と判定されていることが表示されるため、使用者は電極１７０〜２００間に電流が過剰に流れないように制御された状態であることを容易に認識することができる。そのため、浴槽などに落下させて水没したマッサージ器１を躊躇なく拾い上げることができる。また、本例においても、実施例１の場合と同等の作用効果を奏する。尚、図１６では、ステップＳ４３の処理が終了後、処理をステップＳ１１（図１０）に戻すようにしているが、ステップＳ４３の処理が終了後、図１６に示す処理を終了させるようにしても良い。その場合、使用者による指示操作が行われない限り、給電装置３３から電極１７０〜２００に対する給電が再開されない。これにより、使用者が意図していない電極１７０〜２００への給電の再開を好適に防ぐことができる。また、一定時間水没検知状態が続いた場合に、スイッチ３３５をオフにするように構成する事も勿論可能である。
【００９１】
（実施例４）
本例のマッサージ器１００は、図１７に示すように、実施例１における４つの回転体１７〜２０（図１参照）に替えて、２つの回転体１７、１８が備えられる。また、実施例１における本体１２（図２参照）に替えて、本体１２０を備える。なお、実施例１〜実施例３の構成要素と同等の構成要素については、同一の符号を用いてその説明を省略する。
【００９２】
本例のマッサージ器１００では、本体１２０は細長く形成されている。本体１２０の長手方向Ｘの中央部は把持可能に形成された把持部１２０ａを成しており、本体１２０の一端側Ｘ１の端部には枝分かれした分枝部１２０ｂ、１２０ｃを介して２つの回転体１７、１８が設けられている。そして、回転体１７、１８の表面が電極１７０、１８０を形成している。回転体１７、１８は本体１２０の厚さ方向Ｙのうちの下面側Ｙ１に放射状に広がるように延びている。
【００９３】
把持部１２０ａの上面側Ｙ２には、太陽電池パネル１２０ｄが設置されている。本体１２０の内部にはニッケル水素電池等の充電可能な電池３１（図９参照）が配設されており、太陽電池パネル１２０ｄで発電された電力が当該電池３１に充電される。また、図１８に示すように、本体１２０の下面側Ｙ１であって、分枝部１２０ｂ、１２０ｃの間には、水没検出部６としての水没センサ６０が設けられている。水没センサ６０の構成は実施例１の場合と同様であり、水没状態における制御態様も実施例１の場合と同様である。尚、水没センサ６０を回転体１７、１８に配設するようにしても良いし、本体１２０、回転体１７、１８の双方に配設するようにしても良い。
【００９４】
本例のマッサージ器１００においても、実施例１において４つの回転体１７〜２０が備えられることによる効果を除いて、実施例１の場合と同等の作用効果を奏する。
【００９５】
なお、実施例１のマッサージ器１では４つの電極１７０〜２００を備えることとし、実施例４のマッサージ器１００では２つの電極１７０、１８０を備えることとしたが、これらに限らず、３つ又は５つ以上の電極を備えていてもよい。また、水没状態における制御態様を、実施例１と同様ではなく、実施例２や実施例３と同様にすることも勿論可能である。
【００９６】
実施例１〜実施例３では各電極１７０〜２００は、回転体１７〜２０に形成することとしたが、これに限らず、少なくとも２枚のシート状のパッドにおいて、それぞれの一方の面を電極として採用してもよい。この場合には、当該パッドの他方の面に水没検出部を設けることとしてもよい。これにより、水没検出部は電極としてのパッドが水没したことを検出することができる。なお、当該パッドの電極と本体とは絶縁被覆された電線及び信号線により接続されているものとする。この場合も、水没検出部が水没を検知した場合には、実施例１から実施例３のいずれかと同様の制御を行うこととなる。
【００９７】
なお、上述したマッサージ器１に設けられた回転体１７〜２０は、この部分のみをマッサージ器用回転体装置として、分離して供給することが可能である。この場合においては、当該マッサージ器用回転体装置を利用することにより、マッサージ効果に優れたマッサージ器を容易に提供することができる。
このマッサージ器用回転体装置を以下に開示する。
（１）  球状、楕円球状、又はこれらを組み合わせた形状からなるとともに、支持軸に回転可能に保持されるように構成されている回転体を備え、
上記回転体の表面には、上記支持軸の軸線に対して傾斜した傾斜軸線に垂直な複数の仮想面による各断面の輪郭に相当する断面輪郭線が形成されていることを特徴とするマッサージ器用回転体装置。
（２）  上記回転体の表面には環状に形成された複数の帯状面が上記傾斜軸線の軸線方向に配列しているとともに、上記断面輪郭線は互いに隣接する上記帯状面における境界線として視認可能に形成されていることを特徴とする（１）に記載のマッサージ器用回転体装置。
【００９８】
上記（１）に記載のマッサージ器用回転体装置によれば、回転体を肌に当接させた状態で、回転体をスムーズに回転させることができ、使用感に優れる。また、複数のマッサージ器用回転体装置を組み合わせて使用した場合には、一対のマッサージ器用回転体装置間において肌の摘み上げ効果や、揉みほぐし効果を奏することができ、マッサージ効果を一層向上できる。（１）において、球状及び楕円球状とは、厳密な球状及び楕円球状に限らず、概略して球状及び楕円球状の認められる形状や、その表面に若干の凹凸を有する形状などの略球状を含むものとする。
【００９９】
また、（１）に記載の上記マッサージ器用回転体装置を肌に当接させて回転させると、軸線に対する断面輪郭線が当該回転に応じて変化するように観察されるため、マッサージ器用回転体装置が回転していることを視認しやすくなる。
【０１００】
上記（２）に記載のマッサージ器用回転体装置によれば、複数の帯状面が境界線としての断面輪郭線が回転体の回転角度に応じて周期的に変化して観察されるため、回転体が回転していることを容易に視認できる。さらに、複数の帯状面が傾斜軸線の軸線方向に配列していることから、回転体の回転に応じて帯状面の向きが周期的に変化するため、複数のマッサージ器用回転体装置を組み合わせて使用した場合には、一対の回転体の間における肌の摘み上げ効果や揉みほぐし効果に強弱が付与されることとなる。その結果、マッサージ効果を一層向上できるとともに、使用者に肌の摘み上げ効果や揉みほぐし効果を効果的に認識させることができ、優れた使用感を得ることができる。
【０１０１】
上記環状に形成された帯状面は、傾斜軸線の軸線方向に隣接する他の帯状面との境界線が視認しやすいように、当該帯状面に隣接する他の帯状面と異なる形状であることが好ましい。例えば、傾斜軸線を含む断面における当該帯状面及びこれに隣接する他の帯状面の形状を直線状とするとともに、傾斜軸線に対する両者の傾斜角度を異ならせるようにすることができる。また、傾斜軸線を含む断面における当該帯状面の形状を直線状にするとともに、これに隣接する他の帯状面の形状を回転体の外側に膨れた湾曲形状又は回転体の内側に窪んだ湾曲形状とすることができる。また、傾斜軸線を含む断面における当該帯状面及びこれに隣接する他の帯状面の形状を回転体の内側に窪んだ湾曲形状とすることができる。これらの場合には、当該帯状面とこれに隣接する他の帯状面の境界線（断面輪郭線）を明確に線状に形成することができる。例えば、帯状面及び断面輪郭線は、図１２（ａ）〜図１２（ｄ）を参照して上述したように、形成することができる。
【０１０２】
（実施例５）
本例のマッサージ器６０１は、実施例１における導電性の回転体１７〜２０の表面に形成された４つの電極１７０〜２００（図２参照）に替えて、図２０に示すように、パッド状の電極部（第１電極群６７０、第２電極群６８０）を備える。なお、実施例１〜３と同等の部材には同一の符号を付してその説明を省略する。
【０１０３】
以下、本例のマッサージ器６０１について詳述する。
本例のマッサージ器６０１は、図２３に示すように、人６０２の腹部６０３に取り付けて使用される。そして、本例では、人６０２の背丈の長手方向を身長方向Ｈというものとする。また、人６０２の正面に面して、身長方向Ｈに平行でへそ６０３ａを通る人６０２の中心軸６０２ａよりも人６０２の右手６０５ａ側を右方向Ｗ１といい、中心軸６０２ａよりも人６０２の左手６０５ｂ側を左方向Ｗ２というものとする。そして、右方向Ｗ１と左方向Ｗ２とを合わせて左右方向Ｗという。
【０１０４】
図１９に示すように、本体部（本体）６１０は、マッサージ器６０１の中央に設けられている。図１９及び図２１に示すように、本体部６１０は、略円盤状をなしている。図２２に示すように、本体部６１０は、制御基板６４１等を収納するケース６１１と、ケース６１１に取り付けられてマッサージ器６０１の外殻を形成する外殻形成体６１２と、からなる。ケース６１１はＡＢＳ製である。外殻形成体６１２はシリコン製である。ケース６１１は凹状をなす第１ケース６５１と、第１ケース６５１に取り付けられて、第１ケース６５１との間に制御基板６４１を収納する収納部６１３を形成する第２ケース６５２とからなる。第２ケース６５２の外縁に沿って、立設されたリブ６５２ａが、第１ケース６５１の外縁部６５１ａの内側に嵌合して第１ケース６５１に第２ケース６５２が接合されている。
【０１０５】
第１ケース６５１には、図１９、図２２に示すように、後述する操作部６６０の一部を形成する第１カンチレバー６６１ａ及び第２カンチレバー６６１ｂが形成されている。第１カンチレバー６６１ａ及び第２カンチレバー６６１ｂは、第１ケース６５１の壁の一部をくり抜いて片持ち梁の状態に形成されている。第１カンチレバー６６１ａと第２カンチレバー６６１ｂとは、身長方向Ｈの上側から下側に向かって、この順で配列している。
【０１０６】
また、図１９、図２２に示すように、マッサージ器６０１には、水没検出部６としての水没センサ６０（６０ａ、６０ｂ）が備えられる。水没センサ６０は、ケース６１１における本体部６１０の身長方向Ｈの上側に設けられている。図２２に示すように、水没センサ６０ａ（６０）は、センサハーネス６３を介して制御基板６４１に電気的に接続されている。そして、実施例１の場合と同様に、水没状態を検出するための制御（図１０参照）が行われるように構成されている。ただし、本例のマッサージ器６０１は、実施例１におけるＬＥＤランプ３３７（図９参照）に替えて、スピーカ６４３を備えている。そして、水没を検出したときは、実施例１におけるＬＥＤランプ３３７の点灯報知に替えて、音声（例えば、「ピ、ピ、ピ」などの電子音）が出力されて報知されるようになっている。
【０１０７】
図２２に示すように、外殻形成体６１２が第１ケース６５１における第２ケース６５２と反対側に取り付けられている。そして、図１９に示すように、外殻形成体６１２は両カンチレバー６６１ａ、６６１ｂを覆っている。外殻形成体６１２において、第１カンチレバー６６１ａの直上には記号「＋」が突出形成されており、第２カンチレバー６６１ｂの直上には記号「−」が突出形成されており、後述する操作部６６０の一部を形成する操作面６６４を形成している。
【０１０８】
図２２に示すように、第１ケース６５１と第２ケース６５２との間に形成された収納部６１３には、制御基板６４１が収納されている。制御基板６４１はプリント基板であって、制御基板６４１には図示しない配線パターンと電子部品６４２等とが設けられて、制御回路が形成されている。また、制御基板６４１には、表面実装型の小型のスピーカ６４３が電気的に接続されている。
【０１０９】
収納部６１３には、操作部６６０を形成するスイッチ機構６６２も収納されている。スイッチ機構６６２はタクトスイッチであって、押下可能なスイッチ部６６３を備える。スイッチ機構６６２は制御基板６４１に電気的に接続されている。スイッチ機構６６２は第１ケース６５１に形成された第１カンチレバー６６１ａ及び第２カンチレバー６６１ｂの直下にそれぞれ配設されている。これにより、第１ケース６５１を覆う外殻形成体６１２の操作面６６４を介して外部から第１カンチレバー６６１ａを押圧すると、片持ち梁状態の第１カンチレバー６６１ａが撓むことにより、スイッチ機構６６２のスイッチ部６６３が押下されるようになっている。そして、操作面６６４における押圧を解除すると、片持ち梁状態の第１カンチレバー６６１ａの復元力により、第１カンチレバー６６１ａは元の位置に戻ることとなる。第２カンチレバー６６１ｂにおいても同様に押圧及び押圧の解除が行われるように構成されている。
【０１１０】
図２２に示すように、第２ケース６５２には、給電部３（図９参照）へ供給される電力を備える電源部６２０が備えられている。そして、第２ケース６５２には、電源部６２０を構成する電池３１を保持する電池保持部６１４が形成されている。電池保持部６１４には、電池３１の脱落を防止する蓋６１５が着脱可能に取り付けられている。蓋６１５は、電池３１よりも一回り大きい円盤状をなしており、その外周には蓋６１５と第２ケース６５２との間をシールするОリング６１６が嵌装されている。電池３１は、図示しないリードを介して制御基板６４１に電気的に接続されている。図２０に示すように、第２ケース６５２には、蓋６１５の外周から放射状に延びる線状の溝６５３が等間隔に複数形成されている。
【０１１１】
図２０に示すように、電極部として、第１電極群６７０と第２電極群６８０を備える。第１電極群６７０は、図２０、図２３に示すように、腹部６０３に取り付けたときに中心線６１０ａよりも人６０２の右手側Ｗ１に位置するように、本体部６１０から延出している。第２電極群６８０は、腹部６０３に取り付けたときに中心線６１０ａよりも人６０２の左手側Ｗ２に位置するように、本体部６１０から延出している。図２０に示すように、第１電極群６７０には、右側電極６７１〜６７３が含まれており、第２電極群６８０には、左側電極６８１〜６８３が含まれている。
【０１１２】
各電極６７１〜６７３、６８１〜６８３はいずれも、角部が丸みを帯びた略長方形に形成されている。そして、各電極６７１〜６７３、６８１〜６８３の長手方向（例えば、第３右側電極６７３において符号ｄで示す方向）が、左右方向Ｗに概ね沿っている。本例では、各電極６７１〜６７３、６８１〜６８３はいずれも同一の形状を成している。各電極６７１〜６７３、６８１〜６８３の形状は、例えば、長手方向の長さをｄ、短手方向の長さをｈとしたとき、ｈ／ｄを０．４０〜０．９５、好ましくは０．５０〜０．８０とすることができ、本例では、ｈ／ｄは０．５５としている。
【０１１３】
図２２に示すように、第２ケース６５２には、リブ６５２ａの外側に突出した鍔部６５２ｂが形成されている。鍔部６５２ｂと第１ケース６５１の外縁部６５１ａとの間には、図示しない防水用両面シールを介して、シート状の基材６３３が挟持されている。基材６３３はＰＥＴ製であり、可撓性を有する。図２０に示すように、基材６３３は、マッサージ器６０１における外殻形成体６１２側の面（表側面）と反対側である面（裏側面６３３ａ）の全域に広がっている。そして、図１９及び図２１に示すように、基材６３３における表側面は、本体部６１０から延出した外殻形成体６１２によって覆われている。基材６３３と外殻形成体６１２とは、図示しない３Ｍ社製の粘着テープ及びシリコン接着処理剤によって接合されている。
【０１１４】
図２０に示すように、各電極６７１〜６７３、６８１〜６８３の内側には所定大きさの六角形をなす電極非形成部６３４が所定間隔をあけて、複数形成されている。また、各右側電極６７１、６７２、６７３には、制御基板６４１に接続するためのリード部６７４、６７５、６７６が本体部６１０から引き出されるようにそれぞれ形成されている。同様に、各左側電極６８１、６８２、６８３には、制御基板６４１に接続するためのリード部６８４、６８５、６８６が本体部６１０から引き出されるようにそれぞれ形成されている。各リード部６７４〜６７６、６８４〜６８６には、シリコンコーティングが施されており、外部と導通できないようになっている。また、各電極６７１〜６７３、６８１〜６８３においてリード部６７４〜６７６、６８４〜６８６に繋がる部分とその近傍領域（図２０において、符号Ｃで示す斜線領域）にも、シリコンコーティングが施されており、外部と導通できないようになっている。各右側電極６７１〜６７３は互いに並列接続され、各左側電極６８１〜６８３も互いに並列接続されている。
【０１１５】
図２０に示すように、電極部（第１電極群６７０、第２電極群６８０）は、基材６３３の裏側面６３３ａに形成されている。これにより、電極部（第１電極群６７０、第２電極群６８０）は本体部６１０と一体的に形成されている。そして、可撓性を有する基材６３３に形成されているため、電極部（第１電極群６７０、第２電極群６８０）も可撓性を有する。第１電極群６７０及び第２電極群６８０は、銀ペーストを含む導電性インクを基材６３３の裏側面６３３ａに印刷して形成されている。第１電極群６７０及び第２電極群６８０には合わせて４個以上の電極６７１〜６７３、６８１〜６８３が含まれている。本例では、第１電極群６７０と第２電極群６８０とはそれぞれ同数の電極６７１〜６７３、６８１〜６８３を含んでおり、その数はそれぞれ３個である。すなわち、第１電極群６７０には、第１右側電極６７１、第２右側電極６７２及び第３右側電極６７３が備えられている。複数の第２電極群６８０には、第１左側電極６８１、第２左側電極６８２及び第３左側電極６８３が備えられている。そして、基材６３３において、第１右側電極６７１、第２右側電極６７２及び第３右側電極６７３が形成される部分をそれぞれ、第１右側基部６７７、第２右側基部６７８及び第３右側基部６７９とし、第１左側電極６８１、第２左側電極６８２及び第３左側電極６８３が形成される部分をそれぞれ、第１左側基部６８７、第２左側基部６８６及び第３左側基部６８９とする。
【０１１６】
そして、各電極６７１〜６７３、６８１〜６８３には、ゲルパッド６３５（積水化成品工業株式会社製「テクノゲル」、型番ＳＲ−ＲＡ２４０／１００）が貼付されている。ゲルパッド６３５は導電性を有しており、各電極６７１〜６７３、６８１〜６８３はゲルパッド６３５を介して腹部６０３（図２３参照）への通電が可能となっている。また、ゲルパッド６３５は高い粘着性を有しており、ゲルパッド６３５を介して、マッサージ器６０１が腹部６０１に取り付けられるようになっている。
【０１１７】
ゲルパッド６３５は、図２０に示すように、各電極６７１〜６７３、６８１〜６８３よりも一回り大きい形状を有しており、各電極６７１〜６７３、６８１〜６８３を個別に覆っている。ゲルパッド６３５は交換可能となっているため、ゲルパッド６３５が、使用に伴って粘着力が低下したり、破損したり、汚れが目立つようになったりした場合などには、適宜交換することができる。また、所定期間（例えば、１ヶ月、２か月など）ごとに使用済みのゲルパッド６３５を新品のものと交換することとしてもよい。
【０１１８】
図２０に示すように、第１右側電極６７１、第２右側電極６７２及び第３右側電極６７３はいずれも、人６０２（図２３参照）の身長方向Ｈに平行で本体部６１０の中心を通る中心線６１０ａよりも人６０２の右手側Ｘ１（第１領域Ｓ１）に位置するように、本体部６１０から延出している。そして、第１右側電極６７１、第２右側電極６７２及び第３右側電極６７３は、身長方向Ｈに沿って上側から下側に向かってこの順で配列している。
【０１１９】
一方、第１左側電極６８１、第２左側電極６８２及び第３左側電極６８３は、中心線６１０ａよりも人６０２の左手側Ｘ２（第２領域Ｓ２）に位置するように、本体部６１０から延出している。そして、第１左側電極６８１、第２左側電極６８２及び第３左側電極６８３も、身長方向Ｈに沿って上側から下側に向かってこの順で配列している。
【０１２０】
そして、図２０に示すように、第１電極群６７０と第２電極群６８０とが、腹部６０３（図２３参照）に取り付けたときに、中心線６１０ａを基準として線対称に位置するように構成されている。すなわち、腹部６０３に取り付けたときに中心線６１０ａを基準として、第１右側電極６７１と第１左側電極６８１とが線対称に位置し、第２右側電極６７２と第２左側電極６８２とが線対称に位置し、第３右側電極６７３と第３左側電極６８３とが線対称に位置するように構成されている。
【０１２１】
また、図２０に示すように、第１電極群６７０及び第２電極群６８０は、腹部６０３（図２３参照）に取り付けたときに、身長方向Ｈにおいて、第１電極群６７０及び上記第２電極群６８のそれぞれにおける最も上側に位置する第１右側電極６７１と第１左側電極６８１とからなる一対の上側電極対６７０ａと、最も下側に位置する第３右側電極６７３と第３左側電極６８３とからなる一対の下側電極対６７０ｃと、上側電極対６７０ａと下側電極対６７０ｃとの間に位置する一対の第２右側電極６７２と第２左側電極６８２とからなる中央電極対６７０ｂと、が形成されるように構成されている。これにより、上側電極対６７０ａ、中央電極対６７０ｂ及び下側電極対６７０ｃは、身長方向Ｈに沿って上側から下側に向かってこの順で配列している。
【０１２２】
そして、中央電極対６７０ｂは、上側電極対６７０ａ及び下側電極対６７０ｃよりも本体部６１０から延設される方向（左右方向Ｗ）に突出している。すなわち、腹部６０３に取り付けたときに、中央電極対６７０ｂを構成する第２右側電極６７２は、上側電極対６７０ａを構成する第１右側電極６７１及び下側電極対６７０ｃを構成する第３右側電極６７３よりも右方向Ｗ１に突出している。同様に、中央電極対６７０ｂを構成する第２左側電極６８２は、上側電極対６７０ａを構成する第１左側電極６８１及び下側電極対６７０ｃを構成する第３左側電極６８３よりも左方向Ｗ２に突出している。
【０１２３】
また、図２０に示すように、上側電極対６７０ａは延出方向に向かうほど上側に位置するようにＶ字状に傾斜している。そして、上述の如く、各電極６７１〜６７３、６８１〜６８３は同一の大きさとなっている。一方、各電極６７１〜６７３、６８１〜６８３の基材６３３における各右側基部６７７〜６７９は各右側電極６７１〜６７３よりも大きくなっており、各左側基部６８７〜６８９は、各左側電極６８１〜６８３よりも大きくなっている。
【０１２４】
また、図２０に示すように、上側電極対６７０ａは、下側電極対６７０ｃよりも本体部６１０から延設される方向（左右方向Ｗ）に突出している。すなわち、腹部６０３に取り付けたときに、上側電極対６７０ａを構成する第１右側電極６７１は、下側電極対６７０ｃを構成する第３右側電極６７３よりも右方向Ｗ１に突出している。同様に、上側電極対６７０ａを構成する第１左側電極６８１は、下側電極対６７０ｃを構成する第３左側電極６８３よりも左方向Ｗ２に突出している。
【０１２５】
そして、図２０に示すように、第１右側基部６７７の下方外縁部６７７ａは右方向Ｗ１に膨出しており、第１左側基部６８７の下方外縁部６８７ａは左方向Ｗ２に膨出している。
また、第２右側基部６７８の中央外縁部６７８ａは右方向Ｗ１に若干膨出しており、第２左側基部６８８の中央外縁部６８８ａは左方向Ｗ２に若干膨出している。
さらに、第３右側基部６７９の上方外縁部６７９ａは右方向Ｗ１に膨出しており、第３右側基部６７９の下方外縁部６７９ｂは下方向（Ｈ方向における下側方向）に膨出している。また、第３左側基部６８９の上方外縁部６８９ａは左方向Ｗ２に膨出しており、第３左側基部６８９の下方外縁部６８９ｂは下方向に膨出している。
【０１２６】
基材６３３における各基部６７７〜６７９、６８７〜６８９を上述のようにすることで、図１９に示すように、マッサージ器６０１を正面側から見たとき、マッサージ器６０１が腹部６０３における腹直筋６０４を左右方向に包み込むように配される。また、各電極６７１〜６７３、６８１〜６８３の配置が腹直筋４の区画４aに併せた配置となることでが、各筋肉を効率よく刺激されることを期待できる。さらに、かかる形状であると認識されることにより、腹部６０３が引き締まって腹筋が割れたイメージを使用者に想起させることができる。これによりマッサージ器６０１を使用することにより、腹筋が割れて引き締まった腹部３とするためのイメージトレーニングの効果が得られる。（イメージトレーニングによる運動効果の向上は一般によく知られている。）
【０１２７】
また、図２０に示すように、第１電極群６７０及び第２電極群６８０において互いに隣り合う電極６７１〜６７３、６８１〜６８３の間には、本体部６１０に向かって切り込まれた切り込み部６１７が形成されている。本例では、第１右側電極６７１と第２右側電極６７２との間、第２右側電極６７２と第３右側電極６７３との間、第３右側電極６７２と第３左側電極６８３との間、第３左側電極６８３と第２左側電極６８２との間、第２左側電極６８２と第１左側電極６８１との間、及び第１左側電極６８１と第１右側電極６７１との間、の合計６カ所に切り込み部６１７が形成されている。さらに、本体部６１０の周囲には、貫通孔６１８が４カ所形成されている。
【０１２８】
また、本例では、給電部（図９参照）へ供給される電力を備える電源部６２０と、制御部３５（図９参照）の制御態様を変更可能に構成された操作部６６０と、を備えている。そして、電源部６２０は本体部６１０に収納されているとともに、電極（第１電極群６７０及び第２電極群６８０）を人体に当接させて電気刺激を付与するように構成されている。これにより、電源部６２０（電源３１）が本体に収納されているため、外部から電力を供給する必要がないことから、ワイヤレスにすることができる。そのため、使い勝手が良いとともに、外部電源がない場所でも使用することができる。
【０１２９】
また、本例では、電極（第１電極群６７０及び第２電極群６８０）は可撓性を有する。これにより、肌の形状に沿わせて、電極（第１電極群６７０及び第２電極群６８０）を変形させやすくなることから、電極（第１電極群６７０及び第２電極群６８０）と肌との接触面積を広く確保することが容易となる。そのため、電極（第１電極群６７０及び第２電極群６８０）を肌に取り付けるだけで広い範囲に電気刺激を与えることができ、マッサージ効果をより広い範囲に及ぼすことができる。
【０１３０】
また、本例では、電極（第１電極群６７０及び第２電極群６８０）は、本体部６１０から延設されたシート状の基材６３３に複数形成されるとともに、基材６３３には、電極（第１電極群６７０及び第２電極群６８０）と電源（電池３１）とを制御部３５及び給電部３を介して電気的に接続するリード部６７４、６７５、６７６が形成されている。これにより、電極（第１電極群６７０及び第２電極群６８０）が本体部６１０と一体的に形成されるとともにシート状となっているため、電極（第１電極群６７０及び第２電極群６８０）を本体部６１０とともに肌に付着させやすくなる。これにより、使い勝手のよいマッサージ器６０１となる。
【０１３１】
本例のマッサージ器６０１によっても、実施例１において導電性の回転体１７〜２０の表面に形成された４つの電極１７０〜２００（図２参照）を備えることによる押圧等の作用効果を除いて、実施例１と同等の作用効果が得られる。
【０１３２】
なお、実施例５では、６個の電極６７１〜６７３、６８１〜６８３を備えることとしたが、これに限らず、２個以上とすることができる。例えば、図２４、図２５及び図２６に示すように、電極として、実施例５の電極６７１、６８１と同様の構成ではあるが、一回り大きい２個の電極６７１、６８１を備えるマッサージ器７０１であってもよい。なお、実施例５と同等の構成要素には同一の符号を付して、その説明を省略する。この変形例のマッサージ器７０１によっても、実施例５と同等の作用効果を奏する。そして、この変形例のマッサージ器７０１によれば、電極が６個の場合（図２０参照）に比べて、電極６７１、６８１の個数が少ないため、電極あたりの消費電力を大きくすることができることから、各電極６７１、６８１を一回り大きくしている。これにより、電極１つによって電気刺激を付与できる範囲が広がり、腕部、大腿部等の大きい部位の筋肉を刺激しやすくなっている。
【符号の説明】
【０１３３】
１、１００、６０１、７０１  マッサージ器
１２、１２０、６１０  本体
１３、１４、１５、１６  支持軸
１３０ａ、１３０ｂ  接続部
１７、１８、１９、２０  回転体
１７０、１８０、１９０、２００、６７１、６７２、６７３、６８１、６８２、６８３  電極
１７１、１８１、１９１、２０１  断面輪郭線
１７２、１８２、１９２、２０２  帯状面
３  給電部
３３  給電装置
３５  制御部
３５３  給電制御部
５２  表示部
６  水没検出部
８  切替部
８０  バイパス回路
【図１】
2015211825.tif 000003
【図２】
2015211825.tif 000004
【図３】
2015211825.tif 000005
【図４】
2015211825.tif 000006
【図５】
2015211825.tif 000007
【図６】
2015211825.tif 000008
【図７】
2015211825.tif 000009
【図８】
2015211825.tif 000010
【図９】
2015211825.tif 000011
【図１０】
2015211825.tif 000012
【図１１】
2015211825.tif 000013
【図１２】
2015211825.tif 000014
【図１３】
2015211825.tif 000015
【図１４】
2015211825.tif 000016
【図１５】
2015211825.tif 000017
【図１６】
2015211825.tif 000018
【図１７】
2015211825.tif 000019
【図１８】
2015211825.tif 000020
【図１９】
2015211825.tif 000021
【図２０】
2015211825.tif 000022
【図２１】
2015211825.tif 000023
【図２２】
2015211825.tif 000024
【図２３】
2015211825.tif 000025
【図２４】
2015211825.tif 000026
【図２５】
2015211825.tif 000027
【図２６】
2015211825.tif 000028